(57)【要約】【課題】エレベータ乗り場の壁を傷付けることなくフェースプレートを取り付け、あるいは取り外すこと。【解決手段】エレベータ用操作盤１０は、壁１に取り付けられたケース１１と、ケース１１に嵌め込まれたフェースプレート２１とを備えている。フェースプレート２１はケース上板１３を外方から覆うフェースプレート上板２３と、ケース下板１４を外方から覆うフェースプレート下板２４とを有する。【選択図】図１
2020040779.tif 000002
【特許請求の範囲】
【請求項１】
エレベータ乗り場の壁に取り付けられたエレベータ用操作盤において、
前記壁に取り付けられたケースと、前記ケースの前面に嵌め込まれるフェースプレートとを備え、
前記ケースは平板状のケース本体と、前記ケース本体の上縁および下縁に設けられ前記ケース本体から前方へ突出するケース上板およびケース下板とを有し、
前記フェースプレートは平板状のフェースプレート本体と、前記フェースプレート本体の上縁および下縁に設けられ、前記ケース上板および前記ケース下板を外方から覆うフェースプレート上板およびフェースプレート下板とを有する、エレベータ用操作盤。
【請求項２】
前記フェースプレートは前記フェースプレート本体の両側縁に設けられ、前記ケースを側方から覆う一対のフェースプレート側板を有する、請求項１記載のエレベータ用操作盤。
【請求項３】
前記ケースは前記ケース本体の両側縁に設けられ、前記ケース本体から後方へ突出する一対のケース側板を有する、請求項１または２記載のエレベータ用操作盤。
【請求項４】
前記ケース本体に一対の突出板を設け前記フェースプレート本体に、前記一対の突出板に係止される一対の係止板を設けた、請求項１乃至３のいずれか記載のエレベータ用操作盤。
【発明の詳細な説明】
【技術分野】
【０００１】
本開示の実施の形態は、エレベータ乗り場の壁に取り付けられたエレベータ用操作盤に関する。
【背景技術】
【０００２】
従来よりエレベータ用操作盤として、エレベータ乗り場の壁に設けられたケースと、ケース前面に設けられたフェースプレートとを備えている。このようなエレベータ用操作盤において、一般にケースに対してフェースプレートを取り付けたり、取り外す場合、ケースに対してフェースプレートを上下方向に摺動して取り付けたり取り外している。
【先行技術文献】
【特許文献】
【０００３】
【特許文献１】特開２０１５−１６８５４５号公報
【特許文献２】特開２０１５−１８９５１８号公報
【発明の概要】
【発明が解決しようとする課題】
【０００４】
本開示の実施の形態はこのような点を考慮してなされたものであり、ケースに対してフェースプレートを上下方向に摺動させることなく、フェースプレートを取り付けたり取り外すことができるエレベータ用操作盤を提供することを目的とする。
【課題を解決するための手段】
【０００５】
本開示の実施の形態は、エレベータ乗り場の壁に取り付けられたエレベータ用操作盤において、前記壁に取り付けられたケースと、前記ケースの前面に嵌め込まれるフェースプレートとを備え、前記ケースは平板状のケース本体と、前記ケース本体の上縁および下縁に設けられ前記ケース本体から前方へ突出するケース上板およびケース下板とを有し、前記フェースプレートは平板状のフェースプレート本体と、前記フェースプレート本体の上縁および下縁に設けられ、前記ケース上板および前記ケース下板を外方から覆うフェースプレート上板およびフェースプレート下板とを有する、エレベータ用操作盤である。
【図面の簡単な説明】
【０００６】
【図１】図１は本実施の形態によるエレベータ用操作盤を示す分解斜視図であってケース内を簡略化して示す図。
【図２】図２は本実施の形態によるエレベータ用操作盤を示す側断面図。
【図３Ａ】図３Ａはエレベータ用操作盤のフェースプレート上板を示す平面図。
【図３Ｂ】図３Ｂはエレベータ用操作盤のフェースプレート上板を示す断面図。
【図３Ｃ】図３Ｃは止めビスを示す図。
【図４】図４はエレベータ用操作盤を水平方向で切った断面図。
【図５】図５はエレベータ用操作盤のケース上板を示す図。
【発明を実施するための形態】
【０００７】
以下、図面を参照して本開示の実施の形態におけるエレベータ用操作盤について説明する。
【０００８】
ここで図１乃至図５は、本開示の実施の形態におけるエレベータ用操作盤を示す図である。図１乃至図５に示すように、エレベータ用操作盤１０はエレベータ乗り場の壁１に設置されるものであり、壁１上に取り付けられた金属製のケース１１と、ケース１１の前面に嵌め込まれた合成樹脂製のフェースプレート２１とを備えている。
【０００９】
このうちケース１１は矩形状をもつ平板からなるケース本体１２と、ケース本体１２の上縁に設けられケース本体１２から前方（図２の矢印Ｄ１方向）へ突出するケース上板１３と、ケース本体１２の下縁に設けられケース本体１２から前方へ突出するケース下板１４とを有する。またケース１１のケース本体１２の両側縁に、ケース本体１２から後方（図２の矢印Ｄ２方向）へ突出する一対のケース側板１５，１５が設けられている。
【００１０】
本実施の形態において、ケース上板１３およびケース下板１４の突出高さｈ１は約８ｍｍとなっており、一対のケース側板１５，１５の突出高さｈ２は約４ｍｍとなっている。
【００１１】
またケース１１のケース本体１２の前面には、一対の突出板１６，１６が、各々上下方向に延びて設けられており、突出板１６，１６の高さｈ３は４ｍｍとなっている。
【００１２】
またケース上板１３およびケース下板１４には、各々後述する止めビス３０が装着されるねじ穴１３ａ，１４ａが各々設けられている。
【００１３】
他方、フェースプレート２１は全体として箱型形状をもつ。このようなフェースプレート２０は、矩形状をもつ平板からなるフェースプレート本体２２と、フェースプレート本体２２の上縁および下縁に設けられ、各々がケース上板１３およびケース下板１４を外方から覆うフェースプレート上板２３およびフェースプレート下板２４とを有する。またフェースプレート本体２２の両側縁に、ケース本体１２を側方から覆う一対のフェースプレート側板２５，２５が設けられている。
【００１４】
さらに、フェースプレート本体２２の内面には、ケース本体１２の一対の突出板１６，１６に係止される一対の係止板２６，２６が設けられている。ケース本体１２の各突出板１６，１６はケース本体１２から前方へ突出し、上下方向に延びている。さらにフェースプレート本体２２の一対の係止板２６，２６も、フェースプレート本体２２の内面から後方へ突出し、上下方向に延びるとともに、ケース本体１２の一対の突出板１６，１６に外方から嵌め込まれ、このようにして一対の突出板１６，１６に一対の係止板２６，２６が係止される（図４参照）。
【００１５】
またフェースプレート２１のフェースプレート上板２３およびフェースプレート下板２４には、止めビス３０が装着されるねじ穴２３ａ，２４ａが各々設けられている。
【００１６】
また、エレベータ用操作盤１０のフェースプレート２１は、使用者側を向いて配置され、フェースプレート２１には使用者が押圧操作するための２個の押しボタン２８が設置され、各押しボタン２８の裏面には、押しボタン２８に接続された基板２９が設けられている（図２参照）。なお、図１はケース１１とフェースプレート２１の取り付け構造を簡略化して示すものであって、図１において、フェースプレート２１内に設けられた押しボタン２８および基板２９は便宜上省略して示されている。
【００１７】
次に図３Ａ乃至図３Ｃにより、フェースプレート上板２３に設けられたねじ穴２３ａについて説明する。
【００１８】
本実施の形態において、フェースプレート上板２３に設けられたねじ穴２３ａとフェースプレート下板２４に設けられたねじ穴２４ａとは略同一構造をもち、ここではフェースプレート上板２３のねじ穴２３ａについて述べる。
【００１９】
フェースプレート上板２３にはねじ穴２３ａが設けられ、このねじ穴２３ａはざぐり加工により形成された大径部２３ａ１と、大径部２３ａ１に連続して止めビス３０が係合される小径部２３ａ２とを有する。フェースプレート上板２３のねじ穴２３ａに止めビス３０が装着されると、止めビス３０のねじ部３０ｂがねじ穴２３ａの小径部２３ａ２に係合する。止めビス３０がねじ穴２３ａに更にねじ込まれることにより、止めビス３０の頭部３０ａがねじ穴２３ａの大径部２３ａ１内に収まる。このため止めビス３０の頭部３０ａがフェースプレート上板２３から外方へ突出しないようになっている。このため止めビス３０の頭部３０ａの厚みはなるべく小さく、例えば２ｍｍ程度となっており、このためねじ穴２３ａの大径部２３ａ１の深さも止めビス３０の頭部３０ａの厚さと同様、２ｍｍ程度と薄くなっている。
【００２０】
次にこのような構成からなる本実施の形態の作用について説明する。
【００２１】
まずケース１１にフェースプレート２１を組み込む作用について述べる。予めエレベータ乗り場の壁１に図示しない締結具によりケース１１が取り付けられている。この場合、ケース１１はケース本体１２から後方へ延びる一対のケース側板１５，１５を有するため、このケース側板１５，１５が壁１に当接する。このためケース本体１２は壁１に対してわずか前方に位置し、壁１から離間している。
【００２２】
次にケース１１に対してフェースプレート２１を図２の矢印Ｄ２方向へ接近させ、ケース１１を外方から覆うように、ケース１１にフェースプレート２１を嵌め込む。このとき、フェースプレート上板２３はケース上板１３を上方から覆い、フェースプレート下板２４はケース下板１４を下方から覆う。また一対のフェースプレート側板２５，２５はケース本体１２の側面およびケース側板１５，１５の側面を外方から覆う。
【００２３】
またケース本体１２の一対の突出板１６，１６に対して、フェースプレート本体２２の一対の係止板２６，２６が外方から嵌め込まれる。このようにして一対の突出板１６，１６に対して一対の係止板２６，２６が係止される。
【００２４】
次にフェースプレート２１のフェースプレート上板２３に設けられたねじ穴２３ａに、止めビス３０が装着され、止めビス３０はフェースプレート上板２３のねじ穴２３ａとケース上板１３に設けられたねじ穴１３ａの各々に係合する。このようにして止めビス３０がフェースプレート上板２３のねじ穴２３ａとケース上板１３のねじ穴１３ａを貫通して係合され、ケース上板１３に対してフェースプレート上板２３が堅固に固定される。
【００２５】
同様にして、フェースプレート２１のフェースプレート下板２４に設けられたねじ穴２４ａに、止めビス３０が装着され、止めビス３０はフェースプレート下板２４のねじ穴２４ａとケース下板１４に設けられたねじ穴１４ａの各々に係合する。このようにして止めビス３０がフェースプレート下板２４のねじ穴２４ａとケース下板１４のねじ穴１４ａを貫通して係合され、ケース下板１４に対してフェースプレート下板２４が堅固に固定される。
【００２６】
次にケース１１からフェースプレート２１を取り外す場合、上述と逆の順番でフェースプレート２１を取り外す。まずフェースプレート上板２３のねじ穴２３ａおよびケース上板１３のねじ穴１３ａから止めビス３０を取り外す。同様にしてフェースプレート下板２４のねじ穴２４ａおよびケース下板１４のねじ穴１４ａから止めビス３０を取り外す。
【００２７】
次にケース１１に対してフェースプレート２１を壁１から図１の矢印Ｄ１方向に引き離す。このことによりケース１１からフェースプレート２１を容易に取り外すことができる。
【００２８】
以上のように本実施の形態によれば、フェースプレート２１の取り付けあるいは取り外す際、ケース１１に対してフェースプレート２１を矢印Ｄ２方向に近づけたり、矢印Ｄ１方向へ引き離すことにより、ケース１１に対してフェースプレート２１を上下方向に摺動させることなく、容易かつ簡単にフェースプレート２１を取り付けたり取り外すことができる。
【００２９】
例えば、ケース１１に対してフェースプレート２１を取り外すためにケース１１に対してフェースプレート２１を上下方向に摺動させる比較例の場合、フェースプレート２１とケース１１とを係合する内部ツメ（図示せず）とフックの係合を予め外しておき、その後にフェースプレート２１を上下方向に摺動させている。しかしながら、内部ツメとフックの係合を外方から外す作業は容易ではなく、かつフェースプレート２１を摺動させた場合、フェースプレート２１が壁１に擦られて壁１の表面に設けられた壁意匠を傷付けることも考えられる。
【００３０】
これに対して本実施の形態によれば、フェースプレート２１の取り付けまたは取り外しにあたり、フェースプレート２１をケース１１に対して上下方向に摺動させる必要はない。またフェースプレート２１の取り外しにあたり、フェースプレート２１とケース１１を係合する内部ツメとフックの係合を外方から外す必要はない。本実施の形態において止めビス３０を外してケース１１からフェースプレート２１を壁１から引き離すだけで、容易かつ簡単にフェースプレート２１を取り外すことができる。このため壁１の表面に傷を付けることなく、容易かつ簡単にケース１１に対してフェースプレート２１を取り付けたり、取り外したりすることができる。
【００３１】
なお、上記の実施の形態は単なる例示であり、発明の範囲はそれらに限定されるものではない。
【符号の説明】
【００３２】
１  壁、１０  エレベータ用操作盤、１１  ケース、１２  ケース本体、１３  ケース上板、１３ａ  ねじ穴、１４  ケース下板、１４ａ  ねじ穴、１５  ケース側板、２１  フェースプレート、２２  フェースプレート本体、２３  フェースプレート上板、２３ａ  ねじ穴、２４  フェースプレート下板、２４ａ  ねじ穴、２５  フェースプレート側板、３０  止めビス
【図１】
2020040779.tif 000003
【図２】
2020040779.tif 000004
【図３Ａ】
2020040779.tif 000005
【図３Ｂ】
2020040779.tif 000006
【図３Ｃ】
2020040779.tif 000007
【図４】
2020040779.tif 000008
【図５】
2020040779.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
エレベータ乗り場の壁に取り付けられたエレベータ用操作盤において、
前記壁に取り付けられたケースと、前記ケースの前面に嵌め込まれるフェースプレートとを備え、
前記ケースは平板状のケース本体と、前記ケース本体の上縁および下縁に設けられ前記ケース本体から前方へ突出するケース上板およびケース下板とを有し、
前記フェースプレートは平板状のフェースプレート本体と、前記フェースプレート本体の上縁および下縁に設けられ、前記ケース上板および前記ケース下板を外方から覆うフェースプレート上板およびフェースプレート下板とを有し、前記ケースは前記ケース本体の両側縁に設けられ、前記ケース本体から後方へ突出する一対のケース側板を有する、エレベータ用操作盤。
【請求項２】
前記フェースプレートは前記フェースプレート本体の両側縁に設けられ、前記ケースを側方から覆う一対のフェースプレート側板を有する、請求項１記載のエレベータ用操作盤。
【請求項３】
前記ケース本体に一対の突出板を設け前記フェースプレート本体に、前記一対の突出板に係止される一対の係止板を設けた、請求項１または２記載のエレベータ用操作盤。